(57)【要約】制限装置(800)が、主入口(111)から真空掃除機の掃除ヘッド(100)へ通ずる流れダクト(893)の中に位置付けられ、それが排出出口の断面を制限する働きをする制限位置と、それが排出出口の断面をより低い程度に制限する開放位置との間で移動可能である。制限装置(800)は流れダクト(893)に沿った屑の通過によって移動可能である。
2006500137.tif 000002
【特許請求の範囲】
【請求項１】
ハウジングと、床表面をかきまわすためのアジテータと、前記アジテータを回転可能に受け入れるための前記ハウジング内のチャンバと、床表面に面するための前記アジテータに隣接する前記チャンバ内の開口部と、前記アジテータを駆動するための空気タービンと、前記タービンを駆動するために清浄な空気を入れるための前記ハウジング内の空気入口と、前記チャンバからの排出出口に嵌合するための制限装置とを含む真空掃除ヘッドであって、前記制限装置は、それが前記排出出口の断面を制限する働きをする制限位置と、それが前記排出出口の断面をより低い程度に制限する開放位置との間で移動可能であるように配置され、前記制限装置は前記チャンバからの屑の流れによって移動可能であることを特徴とする真空掃除ヘッド。
【請求項２】
前記制限部材が、前記排出出口の壁から外向きに突き出た案内羽根を含むことを特徴とする請求項1に記載の真空掃除ヘッド。
【請求項３】
前記案内羽根が前記制限位置に弾性的に偏位させられていることを特徴とする請求項2に記載の真空掃除ヘッド。
【請求項４】
前記案内羽根が、弾性部材によって前記排出出口の壁に連結されていることを特徴とする請求項3に記載の真空掃除ヘッド。
【請求項５】
前記弾性部材がバネであることを特徴とする請求項4に記載の真空掃除ヘッド。
【請求項６】
前記案内羽根が、前記排出出口の壁に固定されている弾性材料片の上に取り付けられているか、または弾性材料片の露出表面であることを特徴とする請求項4に記載の真空掃除ヘッド。
【請求項７】
前記弾性材料片が全体的にクサビ形状を呈することを特徴とする請求項6に記載の真空掃除ヘッド。
【請求項８】
前記案内羽根の下の空間を遮蔽するための遮蔽部材をさらに含むことを特徴とする請求項2から7のいずれか一項に記載の真空掃除ヘッド。
【請求項９】
前記遮蔽部材が、前記案内羽根の下に嵌合する圧縮可能材料片であることを特徴とする請求項8に記載の真空掃除ヘッド。
【請求項１０】
前記圧縮可能材料が発泡材料または発泡状の材料であることを特徴とする請求項9に記載の真空掃除ヘッド。
【請求項１１】
前記案内羽根の下流端部が、可撓性部材によって前記排出出口の壁に連結されていることを特徴とする請求項2から10のいずれか一項に記載の真空掃除ヘッド。
【請求項１２】
前記案内羽根と前記可撓性部材が互いに一体的に弾力的可撓性材料から形成されていることを特徴とする請求項11に記載の真空掃除ヘッド。
【請求項１３】
複数の制限装置が前記排出出口を横切って配置されていることを特徴とする請求項1から12のいずれか一項に記載の真空掃除ヘッド。
【請求項１４】
請求項1から13のいずれか一項に記載の真空掃除ヘッドを内蔵する真空掃除機。
【請求項１５】
添付の図面を参照して本明細書に実質的に説明されたような真空掃除ヘッドまたは真空掃除機。
【発明の詳細な説明】
【技術分野】
【０００１】
本発明は、真空掃除機によって使用することができるか、または真空掃除機の一部を形成することができる真空掃除ヘッドに関する。
【背景技術】
【０００２】
真空掃除機には一般に、特定のタイプの掃除に対処するためのある範囲のツールが供給される。これらのツールには、一般の床上掃除用の床ツールが含まれる。ブラシバーがツール下側の吸引開口部の内部に回転可能に取り付けられ、このブラシバーは空気タービンによって駆動される、床ツールが提供されることは周知である。ブラシバーは、床の表面から汚物、塵埃、髪の毛、毛羽、およびその他の屑類がリリースされるように、ツールの下の床表面をかきまわす働きをし、次いで空気流によって真空掃除機自体に運ぶことができる。タービンは、単に吸引開口部を介してツールに入る「汚れた」空気によって駆動することもでき、単に主吸引開口部とは別の専用の入口を介してツールに入る「清浄な」空気によって駆動することもでき、汚れた空気と清浄な空気との組合せによって駆動することもできる。「汚れ空気」タービン駆動式ツールは、汚れた空気流によって容易に汚れる可能性があるという欠点を有する。これらのツールはまた、ツールが表面から上げられると、タービンの回転速度が非常に急速に増加する可能性があるという欠点も有する。
【０００３】
米国特許第5,950,275号および独国特許第42 29 030号は両方とも、ツールが表面から上げられると速度制限機能が作動可能な、汚れ空気タービン駆動式ツールを示している。ツールの1つでは、速度制限装置は、タービンに対する空気入口の角位置を制御する床係合ホイールである。
【０００４】
「清浄」空気タービン駆動式ツールもまた、ある一定の条件下で速度が上昇するおそれがある。ツールへの主吸引入口を通る空気流経路の完全または部分的閉塞は、空気タービン入口を通る空気流量を増加させることが可能で、これはタービンとブラシバーの速度を増加させる。しかし、清浄空気および汚れ空気のタービン駆動式ツールにおける超過速度条件の様々な原因から見て、汚れ空気タービン駆動式ツールのために提案された解決策は、清浄空気タービン駆動式ツールにおける使用のためには不適である。
【特許文献１】米国特許第5,950,275号
【特許文献２】独国特許第42 29 030号
【発明の開示】
【発明が解決しようとする課題】
【０００５】
本発明は、タービン駆動ツールの動作を改善することを模索する。
【課題を解決するための手段】
【０００６】
したがって、本発明は、ハウジングと、床表面をかきまわすためのアジテータと、アジテータを回転可能に受け入れるためのハウジング内のチャンバと、床表面に面するためのアジテータに隣接するチャンバ内の開口部と、アジテータを駆動するための空気タービンと、タービンを駆動するために清浄な空気を入れるためのハウジング内の空気入口と、チャンバからの排出出口に嵌合するための制限装置とを含む真空掃除ヘッドであって、前記制限装置は、それが排出出口の断面を制限する働きをする制限位置と、それが排出出口の断面をより低い程度に制限する開放位置との間で移動可能であるように配置され、前記制限装置はチャンバからの屑の流れによって移動可能である真空掃除ヘッドを提供する。
【０００７】
移動可能な制限装置を排出出口に位置付けることによって、出口は時折の屑の通過を可能にするために十分な大きさになることができる。制限装置が制限位置にあるときの出口の断面は、十分に小さくて、掃除ヘッドへの主開口部とタービンへの空気入口との間における空気流の適切な均衡を維持する。
【０００８】
本発明では、真空掃除ヘッドを、シリンダ(キャニスタ、バレル)の棒またはホースの端部に取り付けられたツールにすることができ、または直立真空掃除機の掃除ヘッドなどの、真空掃除機自体の一部を形成することができる。
【０００９】
本発明の実施形態を、単に例示として添付の図面を参照して以下に説明する。
【発明を実施するための最良の形態】
【００１０】
図1は、真空掃除機の棒またはホースの端部に嵌合することができるツール100の形を呈するツールの一実施形態を示す。
【００１１】
ツールの主ハウジングは、ブラシバー112のためのチャンバ110と、タービン240のためのチャンバ115と、これらの部分の間における流れダクトとを画定する。ハウジングの前方の一般にフード形状の部分110と下部プレートは共に、ブラスバーを収容するためのチャンバを画定する。ブラシバーは、同じサイズの2つのブラシバーから成り、これらのブラシバーは、チャンバ110の中心に位置する駆動機構の一部から片持ち梁の形で支持されている。下部プレートは大きな開口111を有し、この開口を通じて、ブラシバー112の剛毛が突出して、床の表面をかきまわすことができる。下部プレートは、プレートを取り外してブラシバー112に接近できるように、急速解放(例えば直角回し)ファスナによってハウジングの残り部分に固定されている。
【００１２】
2つのホイール102が、ハウジングの後部分に回転可能に取り付けられて、ツールが床表面を横切って移動できるようにする。
【００１３】
ツールの空気出口は、垂直平面の中で旋回運動することができるように、主ハウジング上の水平に整列した軸103の周りに旋回式に取り付けられた第1部分107を含む。角度を付けた管部分106の形の第2部分は、軸104の周りに回転可能に、部分107の端部に連結されている。この様な構成によって、使用中に床ツール100の高レベルの機動性が可能になり、周知の床ツールにおいて通常使用されている。これらの構成部分の相互関連については、これ以上説明する必要はない。角度を付けた管部分106の出口105は、家庭用真空掃除機の棒に連結可能なように形状化され寸法決めされる。
【００１４】
図2は、本ツールを使用することができる真空掃除システム全体を概略的に示す。ツール100は、必要な場合には使用者がツール100を向けるために操作することができる剛性のある棒またはパイプ20の遠位端部に連結されている。可撓性のホース30が、棒20を真空掃除機の本体70に連結する。真空掃除機の本体70が、モータ55によって駆動される吸引ファン50を含む。吸引ファン50は、ツール100と棒20とホース30とを介して真空掃除機の本体70の中に空気を吹き込む働きをする。フィルタ45および60がファンの各側部に位置する。プレモータフィルタ45が、微粉塵がファンに達することを完全に防止する働きをし、ポストモータフィルタ60が、モータ55からの微粉塵または炭素エミッションが掃除機から放出されることを完全に防止する働きをする。サイクロン集塵機やフィルタバッグなどの分離機40が、吸引ファン50によって本体70の中に引き込まれる汚れ空気流から汚物、塵、および屑を分離する働きをする。分離されたものはすべて分離機40の中に収集される。使用中は、吸引ファン50によって作り出された吸引力が、空気を、ツールの下側の主吸引入口111を介してタービン空気入口120を通って引き込む。入口120を通って流れる空気はタービンを駆動するために使用され、その後、真空掃除機の本体に向かって部分107および106に沿って流れる。主吸引入口を通って引かれる汚れ空気は、部分107および106に沿って流れ、決してタービンを通過しない。ゆえに、タービンは汚れ空気流からの汚物や屑によって汚されない。
【００１５】
タービンとタービン用の制御機構を、図3を参照して詳細に以下に説明する。タービンのインペラ240がチャンバ115内の駆動軸245の周りに取り付けられている。一組のベアリング246,247が、駆動軸245をその端部の各々において回転可能に支持している。タービンへの空気入口120がハウジングの端部200に位置し、タービンの空気出口が端部280に取り付けられている。タービンを通る空気流は、図3では左から右へ概して軸方向にある。
【００１６】
駆動機構がタービンとブラシバーとを連結し、タービン240からブラシバー112へトルクを伝達する働きをする。駆動機構は、タービンの出力軸245によって駆動される第1プーリー262と、ブラシバーにおける直径がより大きな第2プーリーと、これら2つのプーリーを取り囲むベルト260とを含む。ケーシング251,252がベルト260を囲んで塵の侵入を防止する。
【００１７】
タービンの入口側は、入口キャップ220の周りに弾性的に取り付けられた可動ボタン200を含む。ボタン200は、内側環状ハブ201と外側環状ハブ202とを有する。バネ215が内側ハブ201の内部に嵌合し、ボタン200の中央部分203の内面と案内羽根板230上の表面との間に作用し、ボタン200を軸方向外側に強く駆り立てる働きをする。外側環状ハブ202は、可撓性の環状ダイヤフラムシール210によってハウジングに接合されている。後でさらに詳細に説明する様に、ボタン200は、図3に示すような「開」位置から図4に示すような「閉」位置へ軸方向に可動である。閉位置では、ボタン200は、入口において気密のシールを形成するようにダイヤフラムシール210が入口キャップ220の外表面を押圧する位置へ、軸方向内向きに移動する。
【００１８】
内側環状ハブ201と外側環状ハブ202との間の、ボタン200の最外表面は、複数のラジアルリブ206を含み、隣接リブ間の空間は空気入口開口205を画定する。入口開口205は、塵がタービンに入って機構を汚すことを防止する働きをする細粒メッシュによって遮蔽されている。外側環状ハブ202とダイヤフラムシール210、および内側環状ハブ201との間の通路は、インペラ240を駆動する流入空気流のための空気通路120を画定する。案内羽根板230の周囲は一組の角度を付けた羽根232を支える。羽根232の角度は、インペラ240上のブレードの角度に合致したハウジング周りの空気渦流を発生させる働きをする。タービンを通過する主空気流は矢印244で示されている。ここに示すインペラ240は、この適用例では圧力と流速とによく適することがわかっている内向き半径流(IFR)タービンである。しかし、ペルトン(Pelton)ホイールなどの他形式のタービンも使用できることは明らかであろう。
【００１９】
過剰速度状況中、ボタン200の操作で重要な役割を果たす二次空気流も存在する。インペラ240の概して平坦な側(図3においてインペラ240の左側)は、その中に画定されてリブ243によって分けられた複数の凹部242を有する。使用中、これらの凹部242とリブ243は、以下二次インペラ244と呼ぶことにする小型インペラとして作用する。明らかに、二次インペラ244はインペラ240の後面であるから、この2つは同じ速度で回転する。二次インペラ244のポンプ輸送効果はインペラ240の回転速度に比例する。これは、案内羽根板230とインペラ244との間に低圧領域を生じさせる。支持板230における軸方向に向く複数の開口234は、インペラ244の直接背後の領域をボタン200内側の領域と接合させる。ボタン200内側の領域は効果的に、開口234を通る制限された経路を除いて、主空気流経路から分けられているチャンバとなる。領域216内へのただ1つの流れが、ボタン200の内側環状ハブ201とボタン200が当って滑動する入口キャップ220の部分との間の、小さな不可避の漏洩である。開口234のサイズは、インペラ244の背後の圧力をボタン200内側の領域216に連絡させるように十分に大きくすることと、ポンプ輸送効果を起こさせるために十分に大きな圧力差がボタン200の中に存在するように十分に小さくすることとの兼ね合いである。使用中は、二次インペラ244のポンプ輸送作用は、領域216内の圧力を低下させる。作業中の力を図3に示す。ボタン内部のバネ215はFSで示す力を軸方向外向きに加える。ボタン200の上には軸方向の力FPDもあり、この力は、(大きな内向きの矢印として示された)ボタン200の外側の周囲圧力とボタン216内側の領域216における圧力との圧力差から結果的に得られる。真空掃除機がオフに切り換えられると、領域216内の空気も周囲圧力となり、こうして、ボタンに作用する正味の力のみがバネ215による力である。しかし、真空掃除機が動作しているときは、領域216内の圧力は、二次インペラ244による領域216からの空気の部分的排出によって、周囲圧力より低い。この圧力差によって、ボタンに作用する軸方向内向きの力が生じる。インペラが正規の速度で、すなわち約25〜30krpmで回転しているときには、周囲とボタン200内部領域との間の圧力差に関連する内向きの力FPDは、バネFSの軸方向外向きの偏位力に打ち勝つのには不十分である。したがって、ボタン200は開位置に残り、空気はインペラ240へ流れ続けて、ブラシバーを動作させる。
【００２０】
ある物体をダクトの中に捕捉した状態にするか、または吸入入口を表面に対して封止するなどの、ある方法によって主入口を通る空気流経路が閉塞された状態になると、増加した空気量が空気入口120を通ってタービンへ流れる。この空気流の増加は、インペラ240と二次インペラ244のとの回転速度を増加させる。駆動ベルト260の破断などのその他の故障も、インペラ240の回転速度の増加を引き起こすことがある。回転速度が所定のレベルに増加すると、二次インペラ244のポンプ輸送作用が、周囲とボタン200内側の領域216との間に十分な圧力差を生じさせ、ボタンFPDに対する軸方向内向きの力はバネFSの外向き偏位力に打ち勝つことができる。したがって、ボタン200は図4に示すように動いて閉位置になり、ダイヤフラムシール210は入口キャップ220を圧して入口を気密に封止する。これは空気がインペラ240に達することを完全に防止する。この結果、インペラ240とブラシバーは休止状態になる。タービンチャンバの出口側280は、ツール上の主吸引入口111と真空掃除機の本体70との間の吸引ダクトに通じたままで、本体70は低圧のままであるから、領域216はボタン200を閉位置に維持するために十分に排出されたままである。ボタンを閉位置に動かすようにする回転速度は、バネ215の強度を含む要素によって決定される。45〜50krpmの最大速度が理想的な限界であることが見出されているが、もちろんこれは変更可能である。
【００２１】
ボタン200を開位置に復帰させることができるいくつかの方法がある。第1に、使用者はボタン200を開位置に引くことができる。第2に、空気をタービン下流の空気流の中に、またはボタン200自体の中に直接入れるために、バルブを備えることができる。このバルブをツールの一部にすることができ、または掃除機の棒の上における吸引解除トリガにすることができる。第3に、掃除機をオフにして止めることは、吸引解除トリガを操作することと同じ効果を有する。掃除機をオフにして止めると、タービンの側部280の吸引源は除去され、領域216の圧力は常圧に上昇する。ボタン200の内外で圧力差がないので、バネ215に対抗するための内側に向かう力がなく、したがってバネ215はボタン200を外側に押すことができる。
【００２２】
吸引解除トリガの使用法をもっとよく説明するために、図2を再度参照できる。吸引解除トリガ25は、大部分の従来の機械に備えられているバルブである。これは棒のハンドルに隣接していることが多い。吸引解除トリガ25を使用者が操作して、空気を棒の中に入れ、ツール100における吸引レベルを低下させることができる。通常、使用者は、カーテンなどの何かがツールに張り付くときに、このバルブを操作する。空気はバルブ25を介して空気流経路に中に入り、ツールに「張り付いた」ものを解放する。ツール100のボタン200を開位置に復帰し、こうしてタービン240を再開始するために、吸引解除トリガ操作を使用することもできる。吸引解除バルブ25は、十分な量の空気を主流路の中に入れてボタン200内外の圧力差を十分に低下させ、バネ215がボタン200を開位置に押すことができるようにすべきである。
【００２３】
図6および図7は、バルブが備えられているツールのさらにいくつかの実施形態を示す。図6において、バルブはボタン200自体の中に取り付けられている。バルブは、通常はバネ310によって閉位置に偏位されているさらに別のボタン300を含む。バネ310は、フランジ301とボタン200の外表面との間に作用する。使用中は、使用者はボタン300を両方向矢印によって示す方向に転置して、空気をボタン200内部の領域216の中に入れることができる。これは領域216内の圧力を常圧に上げて、圧力差による力FPDを下げる。FPDの値が十分に下げられると、バネ力FSは内側に向く力FPDに打ち勝ち、ボタン200は図3に示すようにその開位置に移動する。
【００２４】
図7は、手動操作可能なバルブがツール100の一部としてタービン240の下流に取り付けられている様式を示す。ボタン320が、通常は図示するようにバネ330によって閉位置に偏位されている。バネ330は、ボタン320の軸方向最内端部上の一段部とボタンがあるチャンバの表面322との間で作用する。使用中は、使用者はボタン320を転置して、入口340を通じて空気をタービン下流の領域280の中に入れることができる。ボタン200'の内部の領域は、空気がボタン320によって中に流出される領域280に通じている。したがって、ボタン200'の排出による力FPDは低下する。FPDの値が十分に低下すると、バネの力FSは内側に向く力FPDに打ち勝ち、ボタン200'は図3に示すようにその開位置に移動する。
【００２５】
ボタン320は、自動ブリーダバルブとして作用することもできる。すなわち、ボタン320は自動的に、通路280に沿った空気の流れに応答して開位置へ移動する。ボタン200(200')内部の領域が二次インペラ244のポンプ作用効果によって排出される方法と同じ方式で、ボタン320内部の領域は通路280に沿った空気の流れによって排出される。ボタン320が十分に排出されると、ボタン320は開位置に移動し、タービンの下流の流域280に空気を入れる。これはタービン240を低速化する効果を有する。もちろん、ボタン320によって領域280の中へ流出される空気の量が、タービン240の過剰速度を防止するために不十分である場合には、ボタン200'が閉じてタービンへの空気入口を封止する。
【００２６】
図7の右側に示す構成(すなわちボタン320、バネ330、入口340)を、それ自体の上で使用することができ、ボタン200'はタービン240への入口の上にはない。このことは、タービン240のための速度制限機能を提供し、タービンを止める能力はない。
【００２７】
図7はツールの別の実施形態を示す。入口シールは、タービンハウジングの領域355に対して押圧することによって入口を封止することができる環状キャップ350である。この代替物は、互いに封止する表面、すなわちシール350の内側面と表面355とが、封止表面がメッシュスクリーンを通過した空気にのみ露出される図3と比較して、汚物の混じった空気に露出されるので、図3および図4に示すものよりは魅力が少ない。
【００２８】
上記のことから、タービンが過剰に急速に回転するときには、ボタン200は自動的に閉位置に移動してタービンへの空気入口を封止できることは明らかであろう。この構成の別の有用な特徴は、例えば硬い床または繊細な表面を掃除するときに、ブラシバーを止めたい場合には使用者がボタン200を閉位置に手動で押圧できることである。ブラシバーを手動で止めるために、使用者は単にバネ215の偏位に対抗してボタン200を押し、瞬間的にボタン200を閉位置に保持する。ボタン200を押すと、ボタン200内の領域216は、過剰速度条件中に二次インペラ244によって達成される方式と同じ方式で排出される。ブラシバーを上述と同じ方式でオンにすることができる。
【００２９】
タービンを駆動するための空気の専用入口を有するタービン駆動式ツールに関わる問題の1つは、入って来る空気の極端に大きな割合がタービンを通ってではなく主入口を介してツールに流入できることである。空気流が受ける抵抗の大きさという点から見て、主入口を通る経路は、タービン入口を通る経路より低い抵抗を提供する。
【００３０】
図8〜図11を参照すると、制限装置800がブラシバーハウジング110からの出口ダクトの中に位置付けられている。制限装置はブラシバーハウジングからの空気の流れを制限する働きをする。制限装置は、入って来る空気を主入口とタービン入口との間で満足な比率に配分するために設計されている。主入口を通過する空気流量3/4に対してタービンを通過する空気流量1/4と、主入口を通過する空気流量2/3に対してタービンを通過する空気流量1/3との間にある比率を可能にすることが、良い結果をもたらすことがわかっている。
【００３１】
図8〜図11に示す実施形態では、制限装置800は、取付け具816,817を付けたベース815を有し、これらの取付け具は、制限装置800を適所に確保するように排出出口の壁892の中に押し込み嵌合する。材料ループ805,810がベース815に確保されている。ループは、ベース815に対して傾斜している案内羽根と呼ぶことにする第1部分805を有する。概して半円形の要素810が案内羽根805をベース815と接合させる。案内羽根805と半円形要素810を共に統合して、ベース815は弾性的に可撓性の材料で成形することができる。EPDMなどのゴム組成物がこれに適している。使用中は、案内羽根805はベース815に対して、したがって排出出口の壁892,893に対して傾斜した位置に残り、図11に示すように、出口の断面を制限する働きをする。参照番号896は、空気が流れることができる出口開口の一部を示す。使用中の案内羽根805の傾斜角は、通常は出口を通る空気流によって生じる力のために、図8に示す傾斜角より小さくなるが、やはりなお傾斜している。大きな屑片が出口ダクトに沿って流れる場合には、案内羽根805は壁892に向かって回転し、ベース部材815とより平行な位置を採用する。案内羽根805とベース815との間の狭くなった部分806は、案内羽根805を回転させるための蝶番として作用する。いったん屑が通過すると、案内羽根805はエレメント810の反発弾性によって元の位置に戻る。排出出口の垂直壁894が装置800の各側面と相並んでおり、したがってループ内部の区域は汚物の混じった空気にさらされない。
【００３２】
制限装置を別の方式で実現することができる。図12および図13に2つの代替実施形態を示す。図12では、案内羽根835は、ねじりバネ836によって排出出口の壁892に取り付けられた平面エレメントである。バネは排出出口の壁内のポケット832内に受け入れられている。バネ836は、羽根835を壁に対して傾斜位置に維持する働きをする。案内羽根835の下の空間は、案内羽根835が壁に向かって旋回すると容易に圧縮可能な発泡材料840の概してクサビ状片によって充填されている。発泡材料840は、案内羽根835の動作を妨げる案内羽根835の下におけるいかなる屑の蓄積をも防止する。
【００３３】
図13に示す実施形態では、案内羽根はやはり平面エレメント850である。しかしバネはない。その代わりに、反発弾性は、エレメント850を傾斜した位置に維持してエレメントの下のあらゆる汚物の入来を防止する二重目的を果す全体的にクサビ状の材料片855によって得られる。材料855の下部表面856を、接合またはその他の適当な手段によって排出出口の壁892に固定することができる。エレメント850を同様な手段によって材料855の上部表面に固定することができる。クサビ形状の材料855は、屑がエレメント850に当ったときにエレメント850が端部851の周りに旋回することを確実にする。さらに別の代替実施形態では、エレメント850は個別のエレメントとして備えられていないが、単に材料855の上部露出表面である。この場合、材料855または少なくとも露出表面は、表面を越える屑の通過に適切に耐える必要がある。
【００３４】
図14に示すさらに別の代替実施形態では、出口ダクト893における制限は、ダクト893の上部壁から垂れ下がる複数の可撓性フラップ861,862によって達成される。フラップ861,862の長さ、フラップを作るための材料の剛性、およびフラップ861,862とダクト893壁との間の連結部の可撓性が、出口ダクトの断面が制限される程度を決定する。図14は、フラップ861の2つが大きな屑片によって変位させられている状況を示す。ダクトに沿って屑を通過させるためにすべてのフラップが動く必要はないことに留意されたい。これは、主入口とタービン入口との間で空気流の分布を維持する点で利益を有する。もちろん、この構成の簡単な形では、ダクト893を横切って完全または一部分だけ延在する、単一のこの様なフラップ861だけを必要とする。図8〜図13に示す構成を、複数の類似の(または異なる)部品がダクト893を横切って位置し、各部品がダクト893の全幅の一部分のみを占め、独立して移動可能な方式によって実施することができる。
【００３５】
様々な代替案がここに説明した実施形態に対して可能である。2つの取り替え可能なブラシが好ましいが、もっと簡単な形のツールでは、ブラシバーの外表面の周りを通るベルトによって直接駆動される単一のブラシバーのみであってもよい。ブラシバーを中心からずれた位置で駆動することもできる。
【００３６】
ボタン200を操作する好ましい方法は、インペラ240の後面に二次インペラを備えることである。凹部242とリブ243が二次インペラを形成する。しかし、下記の代替方式も可能であり、本発明の範囲内に含むことを意図する。インペラ240の後面を使用する代わりに、第2の専用のインペラを、駆動軸245上の、主インペラ240から軸方向にずれた位置に取り付けてもよい。明らかに、これはツールの費用とサイズを増加させるはずである。さらなる代替案として、インペラの後面を凹部242とリブ243とを有するものではなく平面にすることもできる。さらに別の代替案として、ボタン内部の領域216を排出するための手段を、タービンへのまたはタービンからの主空気流経路におけるベンチュリ管にすることができる。
【００３７】
これらの実施形態は、ツールの片側にボタン200を有する水平に取り付けられたタービン組立体を示している。ボタン200がツールの上面に位置するように、ツールのハウジングの内部にタービンを垂直に取り付けることが可能である。この構成によって、右利きの使用者も左利きの使用者も同様にボタン200にアクセス可能となる。
【図面の簡単な説明】
【００３８】
【図１】本発明によるタービン駆動式ツールを示す斜視図である。
【図２】本ツールを使用することができる真空掃除システムの概略図である。
【図３】タービンへの空気入口が開いている状態での図1のツールの断面図である。
【図４】タービンへの空気入口が閉じている状態での図1のツールの断面図である。
【図５】先の図に示されたツールの構成部分の分解図である。
【図６】空気入口を再度開けることを可能にするためのツールの変形形態を示す図である。
【図７】空気入口を再度開けることを可能にするためにツールを変更できる代替方法を示す図である。
【図８】ブラシバーのハウジングからの出口経路の断面を制限するための装置を組み込んだタービン駆動式ツールの断面図である。
【図９】制限装置自体を示す図である。
【図１０】制限装置自体を示す図である。
【図１１】図8のツールの断面図である。
【図１２】制限装置の代替形状を示す図である。
【図１３】制限装置の代替形状を示す図である。
【図１４】制限装置の代替形状を示す図である。
【符号の説明】
【００３９】
20  棒
25  吸引解除トリガ
30  ホース
40  分離機
45  プレモータフィルタ
50  吸引ファン
55  モータ
60  ポストモータフィルタ
70  真空掃除機の本体
100  ツール
102  ホイール
103,104  軸
105  出口
106  角度を付けた管部分
107  第1部分
110  チャンバ
111  開口（主吸引入口）
112  ブラシバー
115  チャンバ
120  空気入口（空気通路）
200  ボタン（端部）
201  内側環状ハブ
202  外側環状ハブ
203  中央部分
205  入口開口
206  ラジアルリブ
210  ダイヤフラムシール
215  バネ
216  ボタン内側の領域
220  入口キャップ
230  案内羽根
232  羽根
234  開口
240  タービン（タービンのインペラ）
242  凹部
243  リブ
244  二次インペラ
245  駆動軸（タービンの出力軸）
246,247  ベアリング
251,252  ケーシング
260  ベルト
262  第1プーリー
301  フランジ
310  バネ
320  ボタン
322  チャンバの表面
330  バネ
340  入口
350  環状キャップ（シール）
355  シールの表面（タービンハウジングの領域）
800  制限装置
805  材料ループ（案内羽根）
806  案内羽根とベースとの間の狭くなった部分
810  半円形の要素
815  制限装置のベース
816,817  取付け具
832  ポケット
835  案内羽根
836  ねじりバネ
840  圧縮可能な発泡材料
850  エレメント
851  端部
855  クサビ状の材料片
861,862  可撓性フラップ
892,893  排出出口の壁
894  排出出口の垂直壁
896  空気が流れることができる出口開口の一部
【図１】
2006500137.tif 000003
【図２】
2006500137.tif 000004
【図３】
2006500137.tif 000005
【図４】
2006500137.tif 000006
【図５】
2006500137.tif 000007
【図６】
2006500137.tif 000008
【図７】
2006500137.tif 000009
【図８】
2006500137.tif 000010
【図９】
2006500137.tif 000011
【図１０】
2006500137.tif 000012
【図１１】
2006500137.tif 000013
【図１２】
2006500137.tif 000014
【図１３】
2006500137.tif 000015
【図１４】
2006500137.tif 000016
【国際調査報告】
2006500137.tif 000017
2006500137.tif 000018
2006500137.tif 000019